(57)【要約】【課題】プールに水深調節のため設置されるプール床昇降装置用の漏電遮断装置において、５mAの漏電でプール床昇降装置用のモータの駆動回路と電源との間の電路を遮断する。【解決手段】プール昇降用モータの駆動回路と電源とを接続する電路を開閉する開閉器３ａと、漏電電流を検出する零相変流器３ｂの出力が５mAになったときにONとなるトランジスタスイッチ３ｃを備えた設定器３ｄと、励磁によって開閉器３ａをONにする励磁コイル３ｅと、導通によって励磁コイル３ｅを励磁させるトランジスタ３ｆを備えたドライバー回路３ｇとからなり、該ドライバー回路３ｇのトランジスタ３ｆは常には導通して励磁コイル３ｅを励磁させ、開閉器３ａを閉じる。零相変流器３ｂが検出した漏電電流が５mAに達すると、設定器３ｄのトランジスタスイッチ３ｃがONとなり、前記トランジスタ３ｆをOFFにして励磁コイル３ｅの励磁を解除し、電路を遮断する。【選択図】図１
2010212106.tif 000002
【特許請求の範囲】
【請求項１】
プールに昇降可能に設置されるプール床の昇降用モータの駆動回路と電源との間の電路を遮断することができる漏電遮断装置であって、前記電路を開閉する開閉器３ａと、励磁又は励磁の解除によって前記開閉器３ａをON又はOFFに切り換える励磁コイル３ｅと、常にはONとなって前記励磁コイル３ｅを励磁し、開閉器３ａをONにするトランジスタ等の電子回路により構成される開閉器用ドライバー回路３ｇと、漏電電流を検出する零相変流器３ｂと、該変流器３ｂの出力が設定値になったときにONとなるトランジスタスイッチ３ｃを備えた設定器３ｄとより構成されることを特徴とする漏電遮断装置。
【請求項２】
請求項１記載の漏電遮断装置が１５mAの漏電遮断器１を備えた前記電路に前記漏電遮断器１と直列に設けられることを特徴とする漏電遮断装置。
【発明の詳細な説明】
【技術分野】
【０００１】
本発明は、プールの水深調節のために設置されるプール床を昇降させるプール床昇降装置用の漏電遮断装置に関する。
【背景技術】
【０００２】
プール床昇降装置の駆動源であるモータの駆動回路と電源との間の電路には、プールの遊泳者への感電防止対策のため、過電流になったときに電路を遮断する過電流遮断器ＮＦＢや漏電を検出したときに電路を遮断する漏電遮断器が設けられ、電源とモータの駆動回路との間の電路を遮断できるようになっている。
【０００３】
感電防止対策のため定められた低圧電路保護指針（ＪＥＡＧ８１０１−１９７１）の基準からプール床昇降装置は現在、心室細動電流を対象とする第２種を適用し、１５mA又は３０mAの漏電で電路を遮断する漏電遮断器を設けているのが一般的である。
【発明の概要】
【発明が解決しようとする課題】
【０００４】
プールでの遊泳者に対しては、心室細動電流より弱い電流でも人によっては溺死などの二次災害を招くおそれがあることから人体への許容通過電流は５mAの不随意電流の最低値以下とするのが望ましいことが前記低圧電路保護指針でも述べられているが、現在市販されている最も高感度な漏電遮断器は１５mA・０．１sec、すなわち１５mAの漏電を検出してから電路を遮断するまでの時間が０．１secの漏電遮断器である。
【０００５】
本発明は、より微弱な電流、好ましくは５mA 以下の漏電でプール床昇降用のモータの駆動回路と電源との間の電路を遮断することができる漏電遮断装置を提供することを目的とする。
【課題を解決するための手段】
【０００６】
請求項１に係わる発明は、プールに昇降可能に設置されるプール床の昇降用モータの駆動回路と電源との間の電路を遮断することができる漏電遮断装置であって、前記電路を開閉する開閉器と、励磁又は励磁の解除によって前記開閉器をON又はOFFに切り換える励磁コイルと、常にはONとなって前記励磁コイルを励磁し、開閉器をONにするトランジスタ等の電子回路により構成される開閉器用ドライバー回路と、漏電電流を検出する零相変流器と、該変流器の出力が設定値になったときにONとなるトランジスタスイッチを備えた設定器とより構成されることを特徴とする。
請求項２に係わる発明は、請求項１に係わる発明の漏電遮断装置が１５mAの漏電遮断器を備えた前記電路に前記漏電遮断器と直列に設けられることを特徴とする。
【発明の効果】
【０００７】
請求項１に係わる発明によると、零相変流器からの出力が１５mA未満、例えば５mAであっても漏電警報設定器のトランジスタスイッチによりドライバー回路の電子回路をONからOFFに切換えられるようにしたことにより開閉器をOFFにし、電路の遮断を短時間行うことが可能となる。またドライバー回路をトランジスタ等の電子回路で構成することにより、より短時間で遮断が行えるようになり、安全性をより向上させることができる。
【０００８】
請求項２に係わる発明によると、既設の漏電遮断器に請求項１に係わる発明の漏電遮断装置を追加し、二段階で電路の遮断を行えるようにしたことにより安全性をより向上させることができる。
【図面の簡単な説明】
【０００９】
【図１】本発明に係わる漏電遮断装置の回路図。
【発明を実施するための形態】
【００１０】
以下、本発明の実施形態について図１に基づいて説明する。
２００Ｖの交流一次電源とプール床昇降用モータの駆動回路を接続する電路には、漏電遮断器１と、パワーフィルター２と、駆動回路遮断用開閉器３ａと、過電流遮断器ＮＦＢ４が設けてあり、２００Ｖの交流を２４Ｖの直流に変換する電源装置５が接続されている。
【００１１】
前述の漏電遮断器１は、この種の既存の電路に設けられているものと同じもので、１５mAの漏電検出により遮断器１ａをOFFにして電路を遮断するようになっている。過電流遮断器４も同様、過電流が流れたときに電路を遮断するようになっている。
パワーフィルター２は、ノイズによる誤作動を防止するためノイズを除去するために設けられる。
【００１２】
漏電遮断装置３は、前記駆動回路遮断用の開閉器３ａと、漏電電流を検出し、漏電電流に応じた漏電信号を出力する零相変流器３ｂと、漏電電流が５mAになったときの変流器３ｂからの出力によりONとなるトランジスタスイッチ３ｃを備えた設定器３ｄと、励磁又は励磁の解除によって前記開閉器３ａをON又はOFFに切り換える励磁コイル３ｅと、導通によって励磁コイル３ｅを励磁させるトランジスタ３ｆを備えた前記開閉器用のドライバー回路３ｇとからなり、前記電源装置５に接続されるドライバ回路３ｇのトランジスタ３ｆは、常には導通状態にあって励磁コイル３ｅを励磁させ、励磁された励磁コイル３ｅは、開閉器３ａをONにして一次電源とモータ駆動回路の電路を形成し、また警報回路用リレー励磁コイル３ｉのリレー接点３ｈをOFFにしている  
【００１３】
本装置は以上のように構成され、零相変流器３ｂが検出した漏電電流が５mAに達すると、設定器３ｄのトランジスタスイッチ３ｃがONとなり、これによりドライバー回路３ｇのトランジスタ３ｆがOFFとなって励磁コイル３ｅの励磁を解除する。これにより開閉器３ａをOFFにして電路を遮断すると共に、リレー接点３ｈを閉じて警報回路用リレー励磁コイル３ｉをONとし、漏電警報を出力する。
本装置により、５mA の漏電電流で電路を遮断することができ、前記低圧電路保護指針で定める接触状態第１種領域をクリヤーすることができる。しかもドライバー回路をトランジスタで構成することにより、１００m sec以下の短時間で遮断が行え、安全性をより向上させることができる。
【００１４】
漏電遮断装置３が誤作動により電路の遮断が行われなかった場合でも、漏電電流が１５mAに達すると、漏電遮断器１がこれを検出して遮断器１ａをOFFにし、電路を遮断する。また過電流が流れたときにおいても過電流遮断器４が電路を遮断する。
【符号の説明】
【００１５】
１・・漏電遮断器
１ａ・・遮断器
２・・パワーフィルター
３・・漏電遮断装置
３ａ・・開閉器
３ｂ・・零相変流器
３ｃ・・トランジスタスイッチ
３ｄ・・設定器
３ｅ・・励磁コイル
３ｆ・・トランジスタ
３ｇ・・ドライバー回路
３ｈ・・リレー接点
３ｉ・・警報回路用励磁コイル
４・・過電流遮断器
５・・電源装置
【図１】
2010212106.tif 000003